(57)【要約】【課題】外筒部を持った携帯型ヘアドライヤーと共に使用されるヘアドライヤー用のアタッチメントを提供する。【解決手段】出口部２２を持つ外筒部２０を有する携帯型ヘアドライヤー共に使用されるヘアドライヤー用のアタッチメント３０が提供されるものであり、当該アタッチメントは、略均一な直径を持つ多孔性の側壁部５２を有する実質的に中空状の本体部５０で構成され、第１の端部は当該外筒部２０を受け入れる様に構成されると共に、噴出部５８を有する第２の端部は当該ドライヤーから空気流を噴出する様に構成されている。又、当該側壁部の長手方向に沿って複数個の開口部５４が存在しており、当該開口部５４は、当該アタッチメント内に向けた或いは当該アタッチメントからでる空気流の流入及び空気流の流出を可能とする様に構成されている。【選択図】図１
2006314787.tif 000002
【特許請求の範囲】
【請求項１】
出口部を持つ外筒部を有する携帯型ヘアドライヤーと共に使用される通気性を有する外筒部用アタッチメントであって、当該アタッチメントは、
多孔性の側壁部を持つ実質的に中空状の本体部であって、当該本体部に沿って略均一な直径を形成している中空状の本体部と、
当該外筒部を受け入れる為の第１の端部、及び当該ドライヤーから空気流を軸方向に噴出させる様に構成されている噴出部を持った第２の端部と、
当該側壁部の長手方向に沿って設けられている複数個の開口部であって、当該開口部は、当該アタッチメント内部に低圧力差が存在している場合に、当該アタッチメント内に向けて半径方向の空気の流入が発生し、当該アタッチメント内部に高圧力差が存在している場合に、当該アタッチメントから外部に向けた空気の流出が発生する様に構成されている開口部と、
から構成されている事を特徴とする通気性を有する外筒部用アタッチメント。
【請求項２】
当該アタッチメントは、更に、当該側壁部上に形成されている複数個の互いに間隔を置いて半径方向に突出している環状の畝部を含んでいる事を特徴とする請求項１に記載の通気性を有する外筒部用アタッチメント。
【請求項３】
当該噴出部から噴出される空気の流量は、当該開口部に於いて、当該アタッチメントに向かう半径方向の空気の流入が存在する場合には、増加する事を特徴とする請求項１に記載の通気性を有する外筒部用アタッチメント。
【請求項４】
当該開口部は、異なる寸法を有している事を特徴とする請求項１に記載の通気性を有する外筒部用アタッチメント。
【請求項５】
当該開口部は、当該出口部に向うほどより小さくなり、当該携帯型ドライヤーに向かうほどより大きくなる事を特徴とする請求項４に記載の通気性を有する外筒部用アタッチメント。
【請求項６】
当該環状の畝部は、当該開口部を複数個の横方向の開口部列に分割するものであり、それぞれの開口部列内では、当該個々の開口部は同一の寸法を有している事を特徴とする請求項４に記載の通気性を有する外筒部用アタッチメント。
【請求項７】
当該噴出部に近接して配置されている最初の３列に於ける当該開口部は、最も小さい開口部であり、一方、当該開口部の次の２つの列の当該開口部は中間的な寸法を有しており、且つ当該携帯型ドライヤーに近接して配置されている３つの列の当該開口部は最も大きな開口部である事を特徴とする請求項６に記載の通気性を有する外筒部用アタッチメント。
【請求項８】
当該最も小さい開口部の直径は約３／１６インチ（約０．４８センチメートル）である事を特徴とする請求項７に記載の通気性を有する外筒部用アタッチメント。
【請求項９】
当該最も大きい開口部の直径は約５／１６インチ（約０．７９センチメートル）である事を特徴とする請求項７に記載の通気性を有する外筒部用アタッチメント。
【請求項１０】
当該噴出部に実質的な障害物が有る場合には、当該携帯型ドライヤーから当該アタッチメント内に流入する当該空気流の少なくとも一部が当該開口部を介して半径方向に当該アタッチメントから外部に向けて流れ、当該噴出部に実質的な障害物が無い場合には、空気流は、当該開口部を介して半径方向に当該アタッチメント内に流入すると共に当該噴出部から噴出される事を特徴とする請求項１に記載の通気性を有する外筒部用アタッチメント。
【請求項１１】
通気性を有する外筒部用アタッチメントであって、当該ヘアドライヤーは、ハウジング部と、出口部を有する一般的にテーパー状に形成された外筒部とを含んでおり、当該外筒部には、当該アタッチメントをそれに保持させる為の係合形成部が少なくとも一つ設けられており、且つ当該アタッチメントには、当該外筒部に当該アタッチメントを着脱自在に係止させる為、対応する当該係合形成部に着脱自在に係合するための少なくとも一つの相補的形成部が設けられており、当該少なくとも一つの相補的形成部は当該対応するアタッチメントのエプロン部上に配置されており、当該エプロン部は、略漏斗状に開かれており、且つ少なくとも一つの当該係合形成部と当該出口部との間に於いて当該外筒部により保持される様に構成されており、更に、当該係合形成部は被覆構造体によって被覆されている事を特徴とする請求項１に記載の通気性を有する外筒部用アタッチメント。
【発明の詳細な説明】
【技術分野】
【０００１】
本発明は、調髪器に関するものであり、特に詳しくは、携帯型ドライヤーの外筒部から発生される空気流を偏向させる為のアタッチメントと共に使用される様に設計された形式の携帯型ヘアドライヤーに関するものである。
【背景技術】
【０００２】
髪を調髪する為に使用される携帯型ドライヤーは、良く知られており、それらは個人的及び職業的美容師により共通的に使用されている。
【０００３】
その様なドライヤーが、以下のものに限定されるものではないが、例えば、乾燥時に髪を梳く為の櫛、当該ドライヤー外筒部の出口部からの空気流を拡散或いは消散させ、当該ドライヤーから出る噴出する空気流の速度を低減させると共に、当該空気流を広い領域に拡散させる為の拡散器、及び当該ドライヤーの当該外筒部の出口部から噴出される空気流を集束するか及び／又は、当該空気流の速度を増加させる為の集束器等の様な調髪用付属機器を有している事は一般的である。
【０００４】
使用者或いは美容師が、アタッチメントを採用したいと望む場合、当該アタッチメントは、通常は、当該ドライヤーの外筒部の端部に押圧されて、一時的に摩擦係合或いは当該外筒部の端部にクリップ止めされる事によって保持される。
【０００５】
本発明に参照文献として組み込まれているラングレー等に付与された米国特許第６７７５９２２号は、当該外筒部上に設けられた係合形成部と当該アタッチメントのエプロン部に設けられた相補的形成部を提供する固定機構を示している。
【０００６】
一旦当該アタッチメントが当該携帯型ドライヤー上に保持されると、当該ドライヤーは作動可能となり、空気流は当該アタッチメントを介して当該ドライヤーから流れ、そして当該噴出部から噴出される。
【０００７】
当該アタッチメントの当該噴出部で当該空気流が障害物に当ったり、ブロックされると、つまり、当該噴出部が頭皮に近接して配置された場合、当該携帯型ドライヤーは過剰過熱され、それによってモーターが故障する事になる。
【０００８】
当該ドライヤーの過剰過熱は、十分な空気流が当該アタッチメントから噴出されない場合で、当該ドライヤー内部で背圧が形成される場合に発生する。
【０００９】
モンタグニノに付与された米国特許第４８４８００７号に開示されている拡散器付きアタッチメントは、ドライヤーの過剰過熱を防止する為に、当該拡散器が可動していない時には加熱空気が噴出され、当該拡散器が可動している場合には、冷却空気が導入される様に排気スロットが設けられている。
【００１０】
然しながら、当該ドライヤーの過剰加熱を防止する為に、当該スロットが使用されたとしても、当該スロットに入る空気流及び当該スロットから出る空気流は、髪を乾燥させる目的の為には使用されていない。
【００１１】
当該空気流の流入及び流出は、当該拡散器の小さな部分に於いて集中される。
【００１２】
つまり、当該スロットに於ける当該空気流の流入及び流出は、当該側壁部に沿って均一ではなく、例え、髪を乾燥させる場合であっても、それが半径方向に対して使用されておらず、単に、当該加熱拡散器内に冷却された空気を導入するか或いは、当該拡散器が非可動の際に加熱空気を排出する為に使用されているに過ぎない。
【００１３】
ラングレー等に付与された米国特許第６７７５９２２号で開示されている公知の通気性を有する外筒部に於いて、当該アタッチメントは複数個の開口部と閉鎖された噴出端部とを有している。
【００１４】
当該通気性を有する外筒部の当該開口部は、当該ドライヤーが過剰加熱されることを防止する為に、当該ドライヤーが作動中に、当該空気流が当該アタッチメントから排出される事を可能にしている一方、当該開口部から噴出される半径方向の空気流は、当該アタッチメントが職業者用のモデルドライヤーと共に使用された場合には、それが例え髪の乾燥に使用される場合には非常に強すぎるものである。
【００１５】
当該構成は、当該空気流を当該アタッチメントの長さ方向に亘って提供するようになってはいるが、当該開口部から噴出される空気量が多いので、髪型をひどく乱してしまうことになる。
【発明の開示】
【発明が解決しようとする課題】
【００１６】
従って、空気流が当該噴出部に於いて障害を受ける場合に、当該ドライヤーの過剰加熱を防止すると共に、当該アタッチメントの長さ方向に沿った位置に於いて、髪を乾燥させる事も又可能とする為の携帯型ヘアドライヤーに使用されるアタッチメントが要求されている。
【課題を解決するための手段】
【００１７】
従って、本発明は、出口部を有する外筒部を持った携帯型ヘアドライヤーと共に使用されるヘアドライヤー用のアタッチメントを提供するものである。
【００１８】
当該アタッチメントは、略均一な直径を形成している、多孔性の側壁部を持つ実質的に中空状の本体部を有している。
【００１９】
そして、当該アタッチメントの第１の端部は、当該外筒部を受け入れる様に構成されており、又、第２の端部は、当該ドライヤーから空気流を噴出させる様に構成された噴出部を有している。
【００２０】
又、好ましくは、若し当該アタッチメント内に低圧力差が存在している場合或いは高圧力差が存在している場合のそれぞれに基づいて、当該アタッチメント内に向けた或いは当該アタッチメントから外に向けた半径方向の空気流の流入及び流出を可能とする様に構成された当該側壁部の長手方向に沿って設けられている複数個の開口部が存在する。
【００２１】
より詳細には、出口部を有する外筒部を持った携帯型ヘアドライヤーと共に使用する為の通気性を有する外筒部用アタッチメントに関する一つの具体例に於いては、当該アタッチメントは実質的に中空状の本体部を有している。
【００２２】
当該中空状本体部は、略均一な直径を有し、開口部からなる多孔性の側壁部を有している。
【００２３】
当該アタッチメントの第１の端部は、当該外筒部を受け入れる様に構成されており、又当該アタッチメントの出口部つまり噴出部は、当該空気流を噴出させる様に構成されている。
【００２４】
当該アタッチメントは、当該噴出部に実質的な障害物が有る場合には、当該携帯型ドライヤーから当該アタッチメント内に流入する当該空気流の少なくとも一部が当該開口部を介して半径方向に当該アタッチメントから外部に向けて流れ、当該噴出部に実質的な障害物が無い場合には、空気流は、当該開口部を介して半径方向に当該アタッチメント内に流入すると共に当該噴出部から噴出される様に構成されている。
【００２５】
本発明に於ける別の態様としては、携帯型ヘアドライヤーとアタッチメントとの組み合わせである。
【００２６】
即ち、当該ヘアドライヤーは、ハウジング部と、出口部を有する一般的にテーパー状に形成された外筒部とを含んでおり、当該外筒部には、当該アタッチメントをそれに保持させる為の係合形成部が少なくとも一つ設けられている。
【００２７】
当該アタッチメントには、当該外筒部に当該アタッチメントを着脱自在に係止させる為、対応する当該係合形成部に着脱自在に係合するための少なくとも一つの相補的形成部が設けられている。
【００２８】
好ましい具体例では、当該相補的形成部は当該対応するアタッチメントのエプロン部上に配置されており、当該エプロン部は、略漏斗状に開かれており、且つ少なくとも一つの当該係合形成部と当該出口部との間に於いて当該外筒部により保持される様に構成されている。
【００２９】
当該係合形成部は被覆構造体によって被覆されている。
【発明を実施するための最良の形態】
【００３０】
図1及び図２を参照するならば、本発明の当該アタッチメントと共に使用されるのに適した携帯型ヘアドライヤーは、一般的に符号１０として示されており、更に空気取り入れ口１４を持ったハウジング部１２、ハンドル部１６、かかる分野では良く知られている様に、加熱及び／又はファンの速度を制御する為の少なくとも1つのスイッチ部１８、及び出口部２２を有する外筒部２０とを含んでいる。
【００３１】
かかる分野では良く知られている様に、当該スイッチ部１８の数およびその配置位置は適用部材に適合する様には変更しても良い事は、考慮されるものである。
【００３２】
同様に、当該外筒部２０は、好ましくは、前方から見た場合に一般的には、円筒形状或いは卵型形状である事、及び／又は、かかる分野では共通であるように僅かにテーパー化されている事が考慮される。
【００３３】
他の外筒部の形状は、適用部材に従って考慮されるものである。
【００３４】
若し必要であるならば、使用しない時に、当該ドライヤーを吊り下げておく為の吊り下げ環状部２４が設けられる。
【００３５】
又、当該ドライヤーは、ファン、加熱部材、配線及び当該製品に通常設けられているその他の内部部品が設けられている事は理解出来る。
【００３６】
当該ドライヤー１０は、一般的に符号３０で示されている通気性を有する外筒部用アタッチメントが設けられている。
【００３７】
当該アタッチメント３０は、当該外筒部２０と着脱自在に取り付けられており、且つ適切な保持を提供し又当該ドライヤー１０から当該アタッチメントが突然脱落する事を防止する為に、当該外筒部上に当該アタッチメントを積極的に位置決めさせる様に構成された着脱自在の係止部材を有している。
【００３８】
当該着脱自在の係止部材は、以下に於いて参考として本発明に取り込まれているラングレー等に付与された米国特許第６７７５９２２号に開示されている。
【００３９】
当該外筒部２０と当該アタッチメント３０との間に於ける望ましい当該着脱自在の係止部材を提供する為に、本発明に係るシステムは、整髪アタッチメントを当該外筒部２０に保持する為に、当該外筒部２０に設けた少なくとも一つの係合形成部２６及び当該アタッチメント３０上に設けられている当該係合形成部と対応する少なくとも１つの相補的形成部２８とを含む固定システムを含んでいる。
【００４０】
好ましい具体例では、当該係合形成部２６は、半径方向に延展している突起部であり、又、当該相補的形成部２８は、当該アタッチメントのエプロン部３８に設けられたＪ型バイヨネットタイプの切欠部或いは凹陥部である。
【００４１】
従って、バイヨネット型突起部からなるアタッチメント部材は、機構分野に於いて知られた方法で設けられるものである。
【００４２】
好ましい具体例では、当該外筒部２０の周縁部に沿って、約９０度ずつずれた位置で且つ共通の平面上に位置決めされている４個の係合形成部２６が存在しているが、当該係合形成部２６及び当該相補的形成部２８の数および配置間隔は、適用部材に適合するように変化しても良い。
【００４３】
更に好ましい配列に於いては、当該アタッチメント３０は、４個の配列の内の1つの位置で当該ドライヤー１０上に位置決めされても良い。
【００４４】
本発明の当該係止部材に於いては、当該相補的形成部２８は被覆構造２９を用いて当該係合形成部２６を被覆している。
【００４５】
当該被覆部材２９は、好ましくは、当該アタッチメント３０の外側面と同一平面を構成し、且つ当該相補的形成部２８の切欠部の上に延展している。
【００４６】
係る構成に於いて、当該被覆部２９は当該切欠部が突然変形するのを防止する為に当該相補的形成部２８を強化するものである。
【００４７】
本発明に於ける別の態様に於いては、当該ドライヤー１０の当該外筒部２０は、職業的美容師及び／又は個人が使用している従来の或いは標準サイズのドライヤーと比較して相対的に短いものである。
【００４８】
当該外筒部２０の長さは、ハンドル部１６の前方端部３４により規定される一般的に垂直な線を始点とする第１の端部３２から測定されるものであり、又、本発明のドライヤー１０に於いては、当該ハウジング部１２上の任意的な装飾的ショルダー部３６と当該出口部２２により代表されるものである。
【００４９】
当該アタッチメント３０は、当該ドライヤー１０の当該外筒部全体の一部を形成するものであり、又、それだけで、調髪の他の方法に関する変化を与えながらも、当該ドライヤーの作動距離を短くするものである。
【００５０】
当該エプロン部３８は、一般的には漏斗状に形成されており、且つ当該アタッチメント３０の作動部分４４に近接している第２の端部４２よりも大きい直径部を第1の端部４０で有している。
【００５１】
又、当該相補的形成部２８は当該第１の端部４０により近接して配置されている。
【００５２】
当該エプロン部３８は、当該係合形成部２６と当該出口部２２との間で当該外筒部２０により支持される様に構成されている。
【００５３】
当該エプロン部３８は、それだけで、使用者による容易な搭載と取り外しを可能とする為に当該外筒部２０上に摺動可能で旋回可能に係合できる様に構成されている。
【００５４】
同時に、当該エプロン部３８は積極的に当該外筒部２０上に位置せしめられる様に意図されている。
【００５５】
当該係合形成部２６及び当該相補的形成部２８更には、当該エプロン部３８に近接接近している当該外筒部２０（図２が良く示している）により提供される物理的支持とに加えて、当該エプロン部３８も又、積極的で一貫した方法で任意的に当該出口部２２の位置を定める。
【００５６】
係る位置決めは、任意的な停止部４６により得られるものであり、当該停止部は、好ましい具体例に於いては、それが当該作動部分４４に当接せしめられた際に当該エプロン部３８によって形成されるショルダー部４６である。
【００５７】
図１乃至図４を参照すれば、当該アタッチメント３０は、開口部の列５４を有する略均一な直径を形成している多孔性の側壁部５２が設けられている実質的に中空状の本体部５０を有する通気性のある外筒部用アタッチメントとして示されている。
【００５８】
当該アタッチメント３０の第１の端部３８は、又当該エプロン部として示されているが、当該外筒部２０を受け入れるものであり、且つ噴出部５８は、空気流を軸方向に噴出させる様に構成されている。
【００５９】
それに加えて、当該アタッチメント３０は、好ましくは、当該側壁部５２に対し或いは当該側壁部５２と共に一体的に形成されている複数個の互いに軸方向に間隔を置いて配列され且つ半径方向に突出している環状の畝部６０が設けられている。
【００６０】
好ましくは、一般的に円形の開口部５４は、好ましくは当該環状畝部６０の間の当該側壁部５に設けられている。
【００６１】
図２を参照すれば、当該携帯型ドライヤー１０が、例えば、当該空気流が当該噴出部５８に於いて、相当な障害を受けない場合に、当該空気流は、当該ドライヤーの当該外筒部２０を介して移動し、そして当該アタッチメント３０に流入した時に収斂（ｃｏｎｓｔｒｉｃｔｅｄ）される。
【００６２】
当該空気流が当該収斂領域に入ると、その速度は増加してそして当該収斂領域内での圧力は低下する。
【００６３】
係る現象は、ベンチュリー効果として知られている。
【００６４】
当該収斂領域（つまり当該アタッチメント３０）内の局地的な低圧力領域は、その雰囲気空気を高圧力部から低圧力部に向けて移動させる様に作動し、即ち、当該空気流は、当該側壁部５２の外部から当該開口部５４を介して流れ、そして当該アタッチメント３０内に流入し、当該流入空気流は、そこで当該ドライヤーからの空気流と結合されて当該噴出部５８から噴出される。
【００６５】
当該側壁部５２を介して付加的な空気流が当該システムに導入されるので、当該開口部５４は、一般的には当該ドライヤー単独の場合よりも、体積流量に於いて５乃至１０％オーダーで多い、当該噴出部５８から噴出される付加的な空気流を供給するものである。
【００６６】
使用に際しては、当該アタッチメント３０は、髪の下側に空気流を形成し、効果として、当該髪から水分を吸引して当該アタッチメントに導入する。
【００６７】
当該畝部６０は、髪を分けたり分離する様に構成されており、当該髪の束は当側壁部５２の当該開口部５４で且つ当該畝状部の間で吸引される。
【００６８】
更に、髪を分割する当該畝状部６０の梳き操作に加えて、当該アタッチメント３０は当該櫛部或いはブラシ部と共に使用される事を意図されている。
【００６９】
通常、当該側壁部５２の全体の長さ部分が使用される事により、髪は、好ましくは、頭皮を過剰に加熱するか、乾燥してしまうこと無しに、その根元から先端まで乾燥され、これをラジアル乾燥（ｒａｄｉａｌ  ｄｒｙｉｎｇ）と以後称する。
【００７０】
かかるラジアル乾燥に於いては、高熱／高ファン速度に設定された標準的な外筒部を有するドライヤーと関連する相対的にひどく乱暴な乱流に対して穏健な互換性のある方法を提供する。
【００７１】
更に、当該ラジアル乾燥は、当該噴出部５８に於ける集中化された空気流と共に髪を乾燥する為の別の互換性のある方法を提供するものであり、これを以後、軸方向乾燥（ａｘｉａｌ  ｄｒｙｉｎｇ）と称する（図４参照）。
【００７２】
本発明に係る当該アタッチメント３０は、当該軸方向乾燥と当該ラジアル乾燥の双方の為の構成を有している。
【００７３】
本発明に於ける当該アタッチメントに於いて、当該開口部５４は当該側壁部５２の長手方向に沿って配列されており、それらは好ましくは円形であって、且つ好ましくは当該アタッチメント３０上のそれぞれの位置に従って異なる寸法を有している。
【００７４】
好ましくは、当該中空状本体部５０の軸に対して直交する向きに配列された、当該開口部５４からなる８個の環状の列が存在する。
【００７５】
好ましい具体例では、当該噴出部５８に向けて配置されている最初の３列に於ける当該開口部は、最も小さい開口部であり、当該開口部５４Ｓの直径は約３／１６インチ（約０．４８センチメートル）であり、当該エプロン部３８に向けて配置されている最後の３列に於ける当該開口部は最も大きな開口部であって当該開口部５４Ｌの直径は約５／１６インチ（約０．７９センチメートル）であり、更に、中間の２つの列の当該開口部は中間的な寸法を有しており、当該開口部５４Ｍの直径は約１／４インチ（約０．６３センチメートル）である。
【００７６】
又、好ましくは、当該開口部５４に関する8個の軸方向の列が存在するものである。
【００７７】
然しながら、他の寸法、他の配列状態及び他の形状等が可能であることは当然の事である。
【００７８】
此処で、図４を参照するならば、当該携帯型ドライヤー１０が、例えば当該噴出部５８が頭皮に極近接して配置されている様な、当該空気流が障害を受ける様に、配置されている場合、当該アタッチメント３０内に背圧（ｐｒｅｓｓｕｒｅ  ｂａｃｋｕｐ）が形成される。
【００７９】
アタッチメントを使用している従来の携帯型ドライヤー１０に於いては、十分な当該空気流の噴出が無いことから、当該増加された圧力は、当該ドライヤーが過剰に加熱されると言う状況を来たす。
【００８０】
本発明のアタッチメント３０に於いては、当該開口部５４が当該ドライヤーが稼動している場合に空気流を噴出する様に構成されており、更に当該側壁部５２の長さ方向に沿って均一に空気流を噴出する様に構成されており、それによってラジアル乾燥に関して効果的に放出される空気流を使用出来る。
【００８１】
又、当該アタッチメント３０が、例えば、当該噴出端部５８が頭皮に近接して位置している様な、当該噴出端部５８に於いて、当該空気流がかなりの障害を受けると言う様な位置に配置されている場合に、当該アタッチメント３０内に背圧が形成される。
【００８２】
当該側壁部５２に於ける１つの局所的領域から当該空気流が噴出する代わりに、当該アタッチメント３０は、ラジアル乾燥の為に、当該空気流が一般的に均一に当該側壁部５２の長さ全体に亘って噴出される様に構成されている。
【００８３】
当該空気流が、概して当該側壁部５２の長さ方向に沿って当該アタッチメント３０内から雰囲気中に均一に排出される様にする為に、より小さい開口部５４Ｓが、当該アタッチメント内でより多くの背圧が蓄積される当該側壁部５２の部分に位置しており、又より大きな開口部５４Ｌが、当該アタッチメント内でより少ない量の背圧が蓄積される当該側壁部の部分に位置している。
【００８４】
一方、中間的な寸法を持った開口部５４Ｍは、当該アタッチメント内で中間的な量の背圧が蓄積される当該側壁部５２の部分に位置している。
【００８５】
従って、本発明の携帯型ドライヤー様の当該アタッチメントは当該アタッチメントの噴出部に障害物が有るか否かに係らず乾燥能力を提供する。
【００８６】
当該開口部５４に於ける当該空気流の方向は、雰囲気と比較して当該アタッチメント３０内部に低圧力差或は高圧力差が有るか否か（つまり、当該空気流が当該噴出部５８の端部に於いて、かなりの障害を受けているか否か）に基づいて、空気流の流入から空気流の流出迄の間で切り替えられる。
【００８７】
当該障害が無い場合には、当該空気流は、当該開口部５４に於いて吸引され、又当該障害が存在する場合には、当該空気流は、当該開口部から噴出される。
【００８８】
更に、確かに、当該開口部５４に於いて、当該空気流の流入或は空気流の流出が存在するか否かに係らず、当該側壁部に於いて髪に対するラジアル乾燥が発生する。
【００８９】
本発明に於けるヘアドライヤー用のアタッチメントに関する特定の具体例は上記で既に
説明されているが、そのより拡大された態様及び上記した特許請求の範囲に示されている範囲に於いて、本発明から逸脱しない範囲で、本発明に対してなされる変更や修正は、当業者によって考慮されるものである。
【図面の簡単な説明】
【００９０】
【図１】図１は、本発明に於けるアタッチメントが設けられたヘアドライヤーの上方斜視図である。
【図２】図２は、図１の２−２線に沿って見た縦方向断面図である。
【図３】図３は、図１に示す外筒部用アタッチメントの上方斜視図である。
【図４】図４は、使用者の頭部に向けた軸方向配置の状態で使用されている図１に示されたアタッチメントの側面図である。
【符号の説明】
【００９１】
１０      ヘアドライヤー
２０      外筒部
２２      出口部
２６      係合形成部
２８      相補的形成部
３０      アタッチメント
３８      エプロン部
５０      中空状の本体部
５２      側壁部
５４      開口部
５８      噴出部
６０      環状の畝部
【図１】
2006314787.tif 000003
【図２】
2006314787.tif 000004
【図３】
2006314787.tif 000005
【図４】
2006314787.tif 000006